(57)【特許請求の範囲】
【請求項１】
基準点の周囲に設置され振動板の径寸法の異なる複数のスピーカでこれらスピーカに対応したチャンネルの音声信号を再生させるための前記音声信号の処理を実施する音声信号処理装置であって、
前記スピーカ毎に対応した所定のチャンネルの前記音声信号をそれぞれ取得する音声信号取得手段と、
前記取得した所定のチャンネルの音声信号に対して小径の前記スピーカで再生可能な高音周波数帯域のみを通過させる特定フィルタと、
前記特定フィルタで通過させる高音周波数帯域と略同一の高音周波数帯域のみを通過させ大径の前記スピーカに対応し前記取得した所定のチャンネルの音声信号における第１音域成分を抽出する第１フィルタと、
前記大径のスピーカに対応し前記取得した所定のチャンネルの音声信号における前記第１フィルタで除外される低音周波数帯域を通過させて第２音域成分を抽出する第２フィルタと、
前記第１音域成分および前記第２音域成分を加算し前記所定のチャンネルに対応する前記大径のスピーカで再生可能に加算信号として出力させる加算手段と、
を具備したことを特徴とした音声信号処理装置。
【請求項２】
請求項１に記載の音声信号処理装置であって、
前記第１のフィルタは、前記所定の周波数帯域のみを出力させる前記大径のスピーカに対応する所定のチャンネルの音声信号に対して前記特定フィルタで通過させる高音周波数帯域と略同一の高音周波数帯域のみを通過させるためのフィルタであって、前記特定フィルタの次数の総数と同一の次数に設定された
ことを特徴とした音声信号処理装置。
【請求項３】
請求項１または請求項２に記載の音声信号処理装置であって、
前記大型のスピーカに対応する所定のチャンネルと異なる低音効果音用の前記スピーカに対応したチャンネルの音声信号から、前記特定フィルタで除外される低音周波数帯域を通過させる所定フィルタを通過した前記音声信号が生じる遅延分で、前記第１音域成分を遅延処理する遅延処理手段を具備した
ことを特徴とした音声信号処理装置。
【請求項４】
請求項３に記載の音声信号処理装置であって、
前記第２フィルタは、前記所定フィルタと略同一の低音周波数帯域のみを通過させ、前記所定フィルタと同一の次数に設定された
ことを特徴とした音声信号処理装置。
【請求項５】
基準点の周囲に設置され振動板の径寸法の異なる複数のスピーカでこれらスピーカに対応したチャンネルの音声信号を再生させるための前記音声信号の処理を実施する音声信号処理方法であって、
取得した所定のチャンネルの音声信号に対して小径の前記スピーカで再生可能な高音周波数帯域のみを通過させる特定フィルタと略同一の高音周波数帯域のみを通過させる第１フィルタに、大径の前記スピーカに対応して前記取得した所定のチャンネルの音声信号を通過させて第１音域成分を抽出するとともに、前記大径のスピーカに対応して取得した所定のチャンネルの音声信号における前記第１フィルタで除外される低音周波数帯域を通過させる第２フィルタに、前記大径のスピーカに対応して取得した所定のチャンネルの音声信号を通過させて第２音域成分を抽出し、
前記第１音域成分および前記第２音域成分を加算し前記所定のチャンネルに対応する前記大径のスピーカで再生可能に加算信号として出力させる
ことを特徴とする音声信号処理方法。
【請求項６】
演算手段を請求項１ないし請求項４のいずれかに記載の音声信号処理装置として機能させる
ことを特徴とした音声信号処理プログラム。
【請求項７】
請求項６に記載の音声信号処理プログラムが演算手段にて読取可能に記録された
ことを特徴とした音声信号処理プログラムを記録した記録媒体。
【発明の詳細な説明】
【技術分野】
【０００１】
本発明は、音声信号を複数のスピーカから出力可能に処理する音声信号処理装置、音声信号処理方法、そのプログラム、および、そのプログラムを記録した記録媒体に関する。
【背景技術】
【０００２】
従来、複数のスピーカを用いて多チャンネル音声を再生する再生システムが知られている。この再生システムは、例えば画像データをモニタで表示させ、視聴者の周りに複数のスピーカを配置して、視聴者の周囲から音声信号を再生させる。これら再生システムで再生する音声信号は、例えば５．１ｃｈ（チャンネル）や７．１ｃｈなどのように、視聴者の周りに配置する各スピーカに対応した各チャンネルの音声信号を適宜処理し、各スピーカで再生させている。
【０００３】
ところで、再生システムでは、限られた居住空間内に視聴する基準点に対して所定の位置に設置した各スピーカに対応して音声信号を処理するので、設置の都合上、大きさの異なるスピーカが設置される場合がある。具体的には、視聴者に対して前方でモニタの両側に配置するスピーカでは、比較的に大きい、すなわち振動板の径寸法が比較的に大きくある程度の低音域から高音域まで再生可能なスピーカが配置され、モニタの下方などに設置されるセンタ（Ｃ）スピーカと、視聴者の背中側に配置されるサラウンド（Ｓ）スピーカとは、比較的に小型のスピーカを利用する場合がある。そして、比較的に小型のスピーカでは、ある程度の低音域の音声信号は良好に出力されない特性であることから、例えばドルビーシステムのマネージメント機能などのような図１に示す音声信号の処理が必要となる。すなわち、図１に示すような従来の音声信号処理では、比較的に大きなスピーカに対応するチャンネルの音声信号では入力端９０１からそのまま出力端９１０より出力させるが、比較的に小さいスピーカに応じて対応するチャンネルの音声信号では入力端９０２をハイパスフィルタ（ＨＰＦ）９２０を通過させて高域成分を抽出し出力端９１１より出力させている。
発明の開示
発明が解決しようとする課題
［０００４］
しかしながら、図１に示すような従来のバスマネージメント機能では、比較的に小さいスピーカなどのような低域成分を良好に再生しにくいスピーカで再生させるための対応するチャンネルの音声信号の処理で高域成分を抽出するいわゆるスモール（Ｓｍａｌｌ）設定と、比較的に大きいスピーカなどのような低域成分も比較的に良好に再生するスピーカで再生させるための対応するチャンネルの音声信号を所定の音域成分を抽出することなく出力させるいわゆるラージ（Ｌａｒｇｅ）設定との処理が混在しているので、スモール設定とラージ設定とで出力される音声信号の位相にずれが生じてしまう。このことにより、良好な聴取が得られなくなる問題点が一例として挙げられる。
［０００５］
本発明は、このような点などに鑑みて、所定の音域成分を抽出して出力させる設定とほぼ全域成分を出力させる設定とが複数のチャンネルで混在する場合でも良好な再生状態を提供する音声信号処理装置、音声信号処理方法、そのプログラム、および、そのプログラムを記録した記録媒体を提供することを１つの目的とする。
課題を解決するための手段
【０００６】
本発明の音声信号処理装置は、基準点の周囲に設置され振動板の径寸法の異なる複数のスピーカでこれらスピーカに対応したチャンネルの音声信号を再生させるための前記音声信号の処理を実施する音声信号処理装置であって、前記スピーカ毎に対応した所定のチャンネルの前記音声信号をそれぞれ取得する音声信号取得手段と、前記取得した所定のチャンネルの音声信号に対して小径の前記スピーカで再生可能な高音周波数帯域のみを通過させる特定フィルタと、前記特定フィルタで通過させる高音周波数帯域と略同一の高音周波数帯域のみを通過させ大径の前記スピーカに対応し前記取得した所定のチャンネルの音声信号における第１音域成分を抽出する第１フィルタと、前記大径のスピーカに対応し前記取得した所定のチャンネルの音声信号における前記第１フィルタで除外される低音周波数帯域を通過させて第２音域成分を抽出する第２フィルタと、前記第１音域成分および前記第２音域成分を加算し前記所定のチャンネルに対応する前記大径のスピーカで再生可能に加算信号として出力させる加算手段と、を具備したことを特徴とする。
【０００７】
本発明の音声信号処理方法は、基準点の周囲に設置され振動板の径寸法の異なる複数のスピーカでこれらスピーカに対応したチャンネルの音声信号を再生させるための前記音声信号の処理を実施する音声信号処理方法であって、取得した所定のチャンネルの音声信号に対して小径の前記スピーカで再生可能な高音周波数帯域のみを通過させる特定フィルタと略同一の高音周波数帯域のみを通過させる第１フィルタに、大径の前記スピーカに対応して前記取得した所定のチャンネルの音声信号を通過させて第１音域成分を抽出するとともに、前記大径のスピーカに対応して取得した所定のチャンネルの音声信号における前記第１フィルタで除外される低音周波数帯域を通過させる第２フィルタに、前記大径のスピーカに対応して取得した所定のチャンネルの音声信号を通過させて第２音域成分を抽出し、前記第１音域成分および前記第２音域成分を加算し前記所定のチャンネルに対応する前記大径のスピーカで再生可能に加算信号として出力させることを特徴とする。
［０００８］
本発明の音声信号処理プログラムは、演算手段を前述した本発明の音声信号処理装置として機能させることを特徴とする。
［０００９］
本発明の音声信号処理プログラムを記録した記録媒体は、前述した本発明の音声信号処理プログラムが演算手段にて読取可能に記録されたことを特徴とする。
【図面の簡単な説明】
［００１０］
［図１］本発明を説明するための従来技術におけるバスマネージメント機能の概略構成を示すブロック図である。
［図２］本発明における実施の一形態に係る再生装置の概略構成を示すブロック図である。
［図３］前記実施の一形態における再生装置におけるデジタル信号処理部のプログラム構成としての音声信号処理部の概略構成を示すブロック図である。
［図４］本発明における他の実施の形態に係る再生装置におけるデジタル信号処理部のプログラム構成としての音声信号処理部の概略構成を示すブロック図である。
［図５］本発明におけるさらに他の実施の形態に係る再生装置におけるデジタル信号処理部のプログラム構成としての音声信号処理部の概略構成を示すブロック図である。
［図６］本発明におけるさらに他の実施の形態に係る再生装置におけるデジタル信号処理部のプログラム構成としての音声信号処理部の概略構成を示すブロック図である。
【符号の説明】
【００１１】
１００……再生装置
２３０……スピーカ
２３０Ｃ…スピーカであるセンタースピーカ
２３０ＦＲ…スピーカである右前スピーカ
２３０ＦＬ…スピーカである左前スピーカ
２３０ＳＲ…スピーカである右後スピーカ
２３０ＳＬ…スピーカである左後スピーカ
２３０ＳＢＲ…スピーカであるサラウンド右後スピーカ
２３０ＳＢＬ…スピーカであるサラウンド左後スピーカ
２３０ＬＦＥ…スピーカである低音効果音用スピーカ
７００……音声信号処理装置としての音声信号処理部
７１０（７１０Ｃ，７１０ＦＬ，７１０ＦＲ，７１０ＳＬ，７１０ＳＲ，７１０ＳＢＬ，７１０ＳＢＲ）…音声信号取得手段としてのチャンネル入力端子
７２０……第１フィルタとしてのラージ高域通過フィルタ
７３０……第２フィルタとしてのラージ低域通過フィルタ
７４０……特定フィルタとしてのスモール高域通過フィルタ
７６０……所定フィルタとしての低域通過フィルタ
７７０……遅延処理手段
７８０……加算手段としてのラージ加算手段
【発明を実施するための最良の形態】
【００１２】
以下、本発明の実施の一形態を図面に基づいて説明する。なお、本実施の形態では、音声信号を再生出力する再生装置について説明するが、音声信号とともに画像信号を再生するために処理する構成や、再生するために音声信号を処理するいわゆるミキサなどの構成などとしてもよい。また、スピーカで音声信号を再生する構成について説明するが、例えば処理した音声信号をＤＶＤ（Digital Versatile Disc）やＣＤ（Compact Disc）、ハードディスク（Hard Disk）などの光ディスクや磁気ディスクあるいは磁気テープ、またはフィルムの音声トラックやメモリなどの記録媒体に記録する構成、さらにはネットワークを介して配信させる構成などにも適用できる。そして、デジタル信号の音声信号を処理する構成について例示するが、アナログ信号の音声信号を処理する構成としても適用できる。図２は、再生装置の概略構成を示すブロック図である。図３は、再生装置におけるデジタル信号処理部のプログラム構成としての音声信号処理部の概略構成を示すブロック図である。
【００１３】
〔再生装置の構成〕
図２において、１００は再生装置で、この再生装置１００は、音声信号および画像信号を利用者が視聴可能に処理する。この再生装置１００は、処理した音声信号を再生、すなわち音声として出力する複数の出力手段２００が接続される。
【００１４】
出力手段２００は、再生装置１００から出力される各種音声信号をそれぞれ再生する。これら出力手段２００は、デジタル／アナログコンバータ（Digital-Analog Converter：ＤＡＣ）２１０と、アンプ２２０と、スピーカ２３０と、を備え、複数例えば８対設けられている。
【００１５】
なお、本実施の形態においては、複数の出力手段２００の各スピーカ２３０として、例えばいわゆる７．１ｃｈ、すなわち基準点となる聴取位置、より具体的には再生される音声信号を聴取する聴取者の略正面に位置して設置されるセンタースピーカ２３０Ｃと、聴取者に対して前方右側に設置される右前スピーカ２３０ＦＲと、聴取者に対して前方左側に設置される左前スピーカ２３０ＦＬと、聴取者に対して後方右側に設置される右後スピーカ２３０ＳＲと、聴取者に対して後方左側に設置される左後スピーカ２３０ＳＬと、聴取者に対して後方右側に設置されるいわゆるサラウンドスピーカであるサラウンド右後スピーカ２３０ＳＢＲと、聴取者に対して後方左側に設置されるいわゆるサラウンドスピーカであるサラウンド左後スピーカ２３０ＳＢＬと、０．１ｃｈに相当する低音効果音である低域成分としての低音成分を再生する低音効果音用スピーカ２３０ＬＦＥと、を備えた構成を例示して説明する。なお、サラウンド右後スピーカ２３０ＳＢＲおよびサラウンド左後スピーカ２３０ＳＢＬを備えない５．１ｃｈ、５．１ｃｈにおける聴取者の後方にセンタースピーカ２３０Ｃに略対向する状態に１つ増やした６．１ｃｈなどとしてもよい。
【００１６】
ＤＡＣ２１０は、再生装置１００に接続され、再生装置１００から出力される処理されたデジタルの音声信号をアナログに変換する。そして、ＤＡＣ２１０は、アナログに変換した音声信号を、それぞれアンプ２２０へ出力する。
【００１７】
アンプ２２０は、ＤＡＣ２１０に接続されているとともに、スピーカ２３０にそれぞれ接続されている。これらアンプ２２０は、ＤＡＣ２１０から出力されるアナログ信号の音声信号をスピーカ２３０から適宜出力可能に処理し、スピーカ２３０へ出力して再生させる。
【００１８】
また、再生装置１００は、システムマイコン（システムマイクロコンピュータ）３００と、入力手段としての入力操作部４００と、モニタ部５００と、音声処理部６００と、を備えている。システムマイコン３００は、再生装置１００全体の動作を制御する。このシステムマイコン３００には、入力操作部４００、モニタ部５００および音声処理部６００が接続されている。
【００１９】
入力操作部４００は、入力操作可能な例えば図示しない操作ボタンや操作つまみなどのスイッチを複数有している。この入力操作部４００は、これらスイッチの入力操作により所定の信号をシステムマイコン３００に出力し、各種条件をシステムマイコン３００に設定入力する。なお、入力操作部としては、スイッチの入力操作にて設定入力する構成に限らず、音声入力などいずれの入力方法が利用できる。また、いわゆるリモコンであるリモートコントローラとして構成し、入力操作に対応した信号を無線媒体を介してシステムマイコン３００へ送信して設定入力させる構成とするなどしてもよい。
【００２０】
モニタ部５００は、例えば液晶やＥＬ（Electro Luminescence）パネルなどの各種表示装置が用いられる。そして、モニタ部５００は、システムマイコン３００の制御により、システムマイコン３００から出力される信号に基づいて、音声信号の処理状況や再生出力状態、入力操作内容などを表示する。
【００２１】
音声処理部６００は、システムマイコン３００に制御され、音声信号を各出力手段２００のスピーカ２３０から音声出力としてそれぞれ再生するための処理をする。この音声処理部６００は、複数の音声信号入力端子６１０と、音声信号取得手段としても機能し得るデジタルインターフェースレシーバ（Digital Interface Receiver：ＤＩＲ）６２０と、演算手段である音声信号処理装置としてのデジタル信号処理部（Digital Signal Processor：ＤＳＰ）６３０と、出力手段２００に対応した複数、例えば８つの音声信号出力端子６６０と、を備えている。
【００２２】
音声信号入力端子６１０は、例えば図示しないプラグが着脱可能に接続されるコネクタやリード線が接続されるターミナルなどである。そして、音声信号入力端子６１０は、音声信号を出力する音声信号出力機器が着脱可能に接続され、この音声信号出力機器から出力される音声信号が入力される。例えば、図示しない電子楽器から出力されるアナログ信号の音声信号をアナログ／デジタルコンバータにて変換したデジタル信号の音声信号、あるいは上述したような光ディスクや磁気ディスクなどの記録媒体から読取装置のドライブにて読み取ったデジタル信号の音声信号などが例示できる。
【００２３】
ＤＩＲ６２０は、音声信号入力端子６１０に接続されている。このＤＩＲ６２０は、音声信号入力端子６１０に入力された音声信号を取得して適宜変換し、このＤＩＲ６２０に接続されたデジタル信号処理部６３０へストリーム音声信号として出力する。
【００２４】
音声信号出力端子６６０は、例えばプラグが接続されるコネクタやリード線が接続されるターミナルなどである。この音声信号出力端子６６０は、デジタル信号処理部６３０に接続されるとともに、各出力手段２００のＤＡＣ２１０にそれぞれ接続すなわち出力手段２００の数に対応して複数設けられ、各出力手段２００がリード線を介して接続可能となっている。そして、音声信号出力端子６６０は、デジタル信号処理部６３０から出力される音声信号を出力手段２００へ出力する。
【００２５】
ＤＳＰ６３０は、ＤＩＲ６２０、音声信号出力端子６６０およびシステムマイコン３００に接続されている。そして、デジタル信号処理部６３０は、システムマイコン３００により制御され、ＤＩＲ６２０から出力されるストリーム音声信号を取得し、音声信号を適宜いわゆるミキシング処理およびエフェクト処理をするとともに遅延処理であるディレイ処理を実施し、音声信号出力端子６６０へ出力する。このデジタル信号処理部６３０は、音声信号取得手段としての複数の入力端子６３１と、データバス６３２と、ストリームデータ入力部６３３と、ホストインターフェース部６３４と、記憶手段としてのメモリ部６３５と、演算部６３６と、オーディオデータ出力部６３７と、複数の出力端子６３８と、を備えている。
【００２６】
入力端子６３１は、ＤＩＲ６２０に接続され、音声信号入力端子６１０毎に入力される音声信号に対応しＤＩＲ６２０から出力されるストリーム音声信号がそれぞれ入力される。これら入力端子６３１は、音声信号入力端子６１０に対応して複数設けられ、各音声信号入力端子６１０に入力されＤＩＲ６２０で処理されて出力される対応したストリーム音声信号が入力される。
【００２７】
ストリームデータ入力部６３３は、入力端子６３１およびデータバス６３２に接続されている。このストリームデータ入力部６３３は、ＤＩＲ６２０から入力端子６３１に入力されたストリーム音声信号を取得し、データバス６３２へ適宜出力する。
【００２８】
ホストインターフェース部６３４は、システムマイコン３００およびデータバス６３２に接続されている。このホストインターフェース部６３４は、システムマイコン３００からの指令信号を演算部６３６へデータバス６３２を介して出力し、演算部６３６を適宜動作させる。
【００２９】
オーディオデータ出力部６３７は、データバス６３２および出力端子６３８に接続されている。このオーディオデータ出力部６３７は、演算部６３６で後述する処理が実施された音声信号をデータバス６３２から取得して出力端子６３８へ適宜出力する。
【００３０】
出力端子６３８は、入力端子６３１に対応して複数設けられている。これら出力端子６３８は、入力端子６３１に入力されオーディオデータ出力部６３７から出力されるストリーム音声信号を、各出力手段２００のスピーカ２３０から再生させる各チャンネルの音声信号ＦＬ，ＦＲ，ＳＬ，ＳＲ，Ｃ，ＳＢＬ，ＳＢＲ，ＬＦＥ（Low Frequency Effect）として出力する。なお、音声信号ＬＦＥは、いわゆる７．１チャンネル（ｃｈ）のうちの０．１ｃｈに相当、すなわち低音効果音用スピーカ２３０ＬＦＥから再生させる低音効果音である低音成分だけを含んだチャンネルの他、詳細は後述するが、切替動作により低音効果音用スピーカ２３０ＬＦＥを他のスピーカ２３０Ｃ，２３０ＦＲ，２３０ＦＬ，２３０ＳＲ，２３０ＳＬなどと同様に所定の周波数で除去せずにそのまま再生させるチャンネルとしたり、他の音声信号ＦＬ，ＦＲ，ＳＬ，ＳＲ，Ｃ，ＳＢＬ，ＳＢＲと加算して他のスピーカ２３０Ｃ，２３０ＦＲ，２３０ＦＬ，２３０ＳＲ，２３０ＳＬ，２３０ＳＢＬ，２３０ＳＢＲから再生させたりするなどしてもよい。
【００３１】
なお、本実施の形態では、出力手段２００および音声信号出力端子６６０や出力端子６３８は、例えば出力手段２００の数に対応した８つのチャンネルの音声信号を適宜処理して８つのスピーカ２３０に対応して出力する構成について説明するが、上述したように、例えば７ｃｈとなる低音効果音用スピーカ２３０ＬＦＥに対応する低音効果音である低域成分の音声信号を他のスピーカ２３０で出力させる構成などのように、入力端子６３１と出力端子６３８とが対応して対をなさずに異なる数としてもよい。
【００３２】
メモリ部６３５は、例えば光ディスクや磁気ディスクあるいはメモリカードなどの記録媒体に各種データを記憶および読み出すドライブやドライバなどを備えた構成や半導体チップなど、各種データを記憶および読み出し可能に構成されている。このメモリ部６３５は、データバス６３２に接続され、ストリーム音声信号を適宜処理するためのプログラムや所定のストリーム音声信号を遅延処理するための処理条件などを記憶する。また、メモリ部６３５には、例えばストリーム音声信号を適宜記憶する音声信号記憶領域をも有している。
【００３３】
演算部６３６は、データバス６３２に接続され、システムマイコン３００からの指令信号に基づいて、メモリ部６３５に記憶されたプログラムや処理条件に基づいて、ストリームデータ入力部６３３からデータバス６３２に出力されるストリーム音声信号を適宜処理する。
【００３４】
そして、ＤＳＰ６３０は、メモリ部６３５に記憶されたプログラムにより、図示しない、コントローラと、メモリ部６３５の音声信号記憶領域と、ミキシング・エフェクト部と、を構成している。すなわち、コントローラが、入力端子６３１からそれぞれ入力されるストリーム音声信号を、音声信号記憶領域に一時的に格納させるとともに、ミキシング・エフェクト部にて各スピーカ２３０に振り分ける処理をする。そして、ミキシング・エフェクト部は、出力調整部と、エフェクト部と、図３に示す音声信号処理装置としての音声信号処理部７００と、を構成している。
【００３５】
コントローラは、メモリ部６３５および入力端子６３１に接続するとともに、ミキシング・エフェクト部に接続されている。そして、コントローラは、入力端子６３１のうちのいずれか一つに入力される同期信号を取得し、この同期信号に基づいて他の入力端子６３１にそれぞれ入力されるストリーム音声信号を、メモリ部６３５の音声信号記憶領域に一時的に適宜記憶させる。この同期信号は、音声信号入力端子６１０から入力される音声信号を同じタイミングで出力させて同期を採るための信号で、例えば基準パルスや内部クロックなどが例示できる。
【００３６】
また、コントローラは、詳細は後述するが、同期信号に基づいてメモリ部６３５の音声信号記憶領域から読み出したストリーム音声信号を、ミキシング・エフェクト部を制御して適宜遅延処理を実施する。例えば、映像出力する構成と同期して、所定の映像出力の際に所定の音声信号の時間情報に基づいて所定の音声信号を再生させたり、音声信号入力端子６１０からそれぞれ入力されるストリーム音声信号をこれらストリーム音声信号に設けられた時刻情報に基づいて同期させて再生させたりするなどが例示できる。
【００３７】
これらコントローラによる音声信号処理部７００の制御は、例えば入力操作部４００の操作ボタンや操作つまみの入力操作に対応して出力される信号に基づいて、システムマイコン３００が入力操作に対応して所定の制御信号を出力する。このシステムマイコン３００から出力される制御信号を、ホストインターフェース部６３４およびデータバス６３２を介して演算部６３６が認識し、プログラムとしてのコントローラが制御信号に基づいて切替制御する。
【００３８】
そして、ミキシング・エフェクト部の出力調整部は、入力端子６３１にそれぞれ接続され、入力端子６３１に入力されたストリーム音声信号を取得し、この取得したストリーム音声信号を所定の出力で出力させる制御をする。この出力の制御としては、例えば入力操作部４００の操作ボタンや操作つまみの入力操作に対応して出力される信号に基づいて、システムマイコン３００がスピーカ２３０から出力する出力量すなわちボリュームを入力操作に対応して調整する制御信号を出力する。このシステムマイコン３００から出力される制御信号を、ホストインターフェース部６３４およびデータバス６３２を介して演算部６３６が認識し、プログラムとしての出力調整部が制御信号に対応して取得したストリーム音声信号の出力を制御する。
【００３９】
また、ミキシング・エフェクト部のエフェクト処理部は、出力調整部に接続され、出力調整部から出力されるストリーム音声信号をエフェクト処理する。具体的には、周波数や位相を変更するなどしてスピーカ２３０から再生出力されるストリーム音声信号の音色を変更したりエコーを付加したりするなどの音質を変更する。このエフェクト処理部は、上述したように、例えば入力操作部４００による入力操作に対応するシステムマイコン３００からの制御信号に基づいてエフェクト処理の内容が設定される。このエフェクト処理部は、エフェクト処理したストリーム音声信号を複数に分岐、すなわち、出力させるチャンネルに対応した８つに分岐して音声信号処理部７００へ適宜出力する。
【００４０】
音声信号処理部７００は、出力手段２００へ出力する各チャンネルに対応した音声信号を、位相を揃えて出力手段２００へ出力する処理をする。この音声信号処理部７００は、各チャンネルに対応した数の音声信号取得手段としてのチャンネル入力端子７１０と、第１フィルタとしてのラージ高域通過フィルタ７２０と、第２フィルタとしてのラージ低域通過フィルタ７３０と、特定フィルタとしてのスモール高域通過フィルタ７４０と、アッテネータ７５０と、所定フィルタとしての低域通過フィルタ７６０と、遅延処理手段７７０と、加算手段としてのラージ加算手段７８０と、低域用加算手段７９０と、位相反転部８００と、出力端子６３８である各チャンネル出力端子８１０と、などを備えている。なお、本実施の形態では、左前スピーカ２３０ＦＬおよび右前スピーカ２３０ＦＲが比較的に径寸法が大きく低音域まで良好に出力できるものが接続される場合として設定されるいわゆるラージ設定で、センタースピーカ２３０Ｃ、右後スピーカ２３０ＳＲ、左後スピーカ２３０ＳＬ、サラウンド右後スピーカ２３０ＳＢＲ、サラウンド左後スピーカ２３０ＳＢＬが比較的に径寸法が小さく低音域を良好に出力できないものが接続される場合として設定されるいわゆるスモール設定とし、低音効果音用スピーカ２３０ＬＦＥから低音効果音を再生させる７．１ｃｈの設定が、入力操作にて設定入力された場合を例示する。
【００４１】
チャンネル入力端子７１０は、各エフェクト処理部に接続され、各エフェクト処理部で各チャンネルに対応して分岐されたストリーム音声信号が加算されて入力される。すなわち、複数のエフェクト処理部でそれぞれ各スピーカ２３０に対応したチャンネルの８つに分岐され、同一のチャンネルの音声信号が加算されて対応するチャンネルのチャンネル入力端子７１０に同期されて入力される。また、各チャンネル入力端子７１０には、低音効果音を抽出するために、コントローラにて制御される図示しない切替手段が接続される。なお、図３は、ラージ設定に設定され低音効果音を抽出しない状態に設定されたチャンネル入力端子７１０ＦＬ，７１０ＦＲは、分岐されない状態、すなわち切替手段にてストリーム音声信号を分岐しない制御の状態を示している。
【００４２】
そして、スモール設定となっているチャンネル入力端子７１０Ｃ，７１０ＳＬ，７１０ＳＲ，７１０ＳＢＬ，７１０ＳＢＲには、スモール高域通過フィルタ７４０がそれぞれ接続される。これらスモール高域通過フィルタ７４０は、いわゆるハイパスフィルタ（Hi-Pass Filter：ＨＰＦ）で、入力されたストリーム音声信号の所定の周波数より低い周波数を除去して第１音域成分である高域成分のみを通過させる。なお、これらスモール高域通過フィルタ７４０の次数は、２次に設定されている。さらに、スモール高域通過フィルタ７４０には、遅延処理手段（ディレイ）７７０がそれぞれ接続される。これら遅延処理手段７７０は、詳細は後述するが、低音効果音として抽出した低域成分のストリーム音声信号が抽出により生じる遅延分に同期させる状態に、スモール高域通過フィルタ７４０で抽出した高域成分のストリーム音声信号を遅延処理する。そして、遅延処理された各ストリーム音声信号は、対応するチャンネル出力端子８１０Ｃ，８１０ＳＬ，８１０ＳＲ，８１０ＳＢＬ，８１０ＳＢＲへそれぞれ出力される。
【００４３】
また、チャンネル入力端子７１０Ｃ，７１０ＳＬ，７１０ＳＲ，７１０ＳＢＬ，７１０ＳＢＲには、低音効果音を抽出するために切替手段にて分岐されたストリーム音声信号を出力調整するアッテネータ７５０がそれぞれ接続されている。これらアッテネータ７５０は、各チャンネルに対応したストリーム音声信号の出力レベルを低音効果音用のチャンネルで設定された出力レベルに対応して適宜出力調整する。そして、各アッテネータ７５０は、チャンネル入力端子７１０ＬＦＥに接続された低域用加算手段７９０にそれぞれ接続されている。この低域用加算手段７９０は、チャンネル入力端子７１０ＬＦＥに入力されたストリーム音声信号と、各アッテネータ７５０で出力調整されたストリーム音声信号とを加算して低域用加算信号を生成する。そして、この低域用加算手段７９０には、所定フィルタとしての低域通過フィルタ７６０が接続される。この低域通過フィルタ７６０は、いわゆるローパスフィルタ（Low-Pass Filter：ＬＰＦ）で、低域用加算信号の所定の周波数より高い周波数を除去して低音効果音の低域成分のみを通過させる。なお、この低域通過フィルタ７６０は、スモール高域通過フィルタ７４０およびラージ高域通過フィルタ７２０の次数より高い次数、すなわち６次に設定されている。そして、この低域通過フィルタ７６０には、位相反転部８００が接続され、低音効果音の低域成分の低域用加算信号であるストリーム音声信号の位相を反転し、チャンネル出力端子８１０ＬＦＥへ出力する。
【００４４】
また、ラージ設定となっているチャンネル入力端子７１０ＦＬ，７１０ＦＲには、コントローラにて制御される図示しない切替手段が接続される。この切替手段により、第１音域成分である高域成分と第２音域成分である低域成分とを抽出するために、入力されたストリーム音声信号をそれぞれ分岐する。なお、図３は、ラージ設定に設定されラージ設定用のストリーム音声信号を処理するために分岐する状態のみを示す。そして、チャンネル入力端子７１０ＦＬ，７１０ＦＲには、ラージ高域通過フィルタ７２０と、ラージ低域通過フィルタ（ＬＰＦ）７３０とが並列状に接続される。すなわち、切替手段にて分岐される高域成分側にラージ高域通過フィルタ７２０が接続され、分岐される低域成分側にラージ低域通過フィルタ７３０が接続される。
【００４５】
そして、ラージ設定における低域成分側のラージ低域通過フィルタ７３０は、低音効果音用のストリーム音声信号の処理に用いられる低域通過フィルタ７６０と同様に、入力されたストリーム音声信号の所定の周波数より高い周波数を除去して同様の周波数帯の低域成分のみを通過させる。これらラージ低域通過フィルタ７３０の次数も、６次に設定されている。さらに、ラージ低域通過フィルタ７３０には、低音効果音用のストリーム音声信号の処理に用いられるものと同様の位相反転部８００が接続され、抽出した低域成分のストリーム音声信号の位相を反転する。
【００４６】
一方、ラージ設定における高域成分側のラージ高域通過フィルタ７２０は、スモール高域通過フィルタ７４０と同様に、入力されたストリーム音声信号の所定の周波数より低い周波数を除去して同様の周波数帯の高域成分のみを通過させる。具体的には、ラージ高域通過フィルタ７２０は、低域成分側のラージ低域通過フィルタ７３０で除去される高域成分を抽出する特性に設定される。このラージ高域通過フィルタ７２０は、スモール設定として接続されるセンタースピーカ２３０Ｃ、右後スピーカ２３０ＳＲ、左後スピーカ２３０ＳＬ、サラウンド右後スピーカ２３０ＳＢＲ、サラウンド左後スピーカ２３０ＳＢＬのスピーカ特性が２次に設定されたものとして、スモール高域通過フィルタ７４０の２次との総和となる４次に設定される。
【００４７】
さらに、これらラージ高域通過フィルタ７２０には、スモール設定の場合と同様の遅延処理手段（ディレイ）７７０がそれぞれ接続される。すなわち、ラージ設定における低域成分側で低音効果音用の低域通過フィルタ７６０と同様のラージ低域通過フィルタ７３０にて低域成分を抽出しているので、この抽出した低域成分のストリーム音声信号も同様に遅延するので、低音効果音としてストリーム音声信号を処理する際にスモール設定で利用する構成と同様の遅延処理手段７７０により同様に遅延処理する。すなわち、いわゆる群遅延補正処理であり、スモール設定の場合と同様に、低音効果音の低域成分のストリーム音声信号の抽出により生じる遅延分に同期させる状態に遅延処理し、低音効果音用のストリーム音声信号およびスモール設定のストリーム音声信号と整合させる。
【００４８】
そして、ラージ設定における遅延処理手段７７０および位相反転部８００は、ラージ加算手段７８０にそれぞれ接続される。これらラージ加算手段７８０は、高域成分側の遅延処理されたストリーム音声信号と、反転処理された低域成分側のストリーム音声信号とを加算し加算信号を生成する。この加算する時点で、高域成分と低域成分との双方のストリーム音声信号は、位相の整合が得られていることとなる。そして、ラージ設定の各加算信号であるストリーム音声信号は、接続されたチャンネル出力端子８１０ＦＬ，８１０ＦＲへそれぞれ出力される。
【００４９】
このように、各チャンネル出力端子８１０に出力されるストリーム音声信号は、低音効果音用のストリーム音声信号と、他のスピーカ２３０で出力する各チャンネルのストリーム音声信号との群遅延補正処理により整合が得られるとともに、ラージ設定における高域成分および低域成分の整合、および、ラージ設定とスモール設定との整合も得られる。すなわち、このチャンネル出力端子８１０ＬＦＥへ低音効果音のストリーム音声信号が出力される位相と、スモール設定のストリーム音声信号におけるチャンネル出力端子８１０Ｃ，８１０ＳＬ，８１０ＳＲ，８１０ＳＢＬ，８１０ＳＢＲに出力される位相と、ラージ設定のストリーム音声信号におけるチャンネル出力端子８１０ＦＬ，８１０ＦＲに出力される位相とがそれぞれ整合される。この整合により、再生時に空間合成された際の群遅延特性が平坦、すなわち各スピーカ２３０の合成特性において、周波数と群遅延との関係が周波数に対してほぼ一定となる平坦な状態となる。
【００５０】
〔再生装置の動作〕
次に、上記した再生装置１００の動作として、音声信号を再生させる再生動作について説明する。この再生動作として、上述した図３に示す構成の設定、すなわち左前スピーカ２３０ＦＬおよび右前スピーカ２３０ＦＲがラージ設定で、センタースピーカ２３０Ｃ、右後スピーカ２３０ＳＲ、左後スピーカ２３０ＳＬ、サラウンド右後スピーカ２３０ＳＢＲ、サラウンド左後スピーカ２３０ＳＢＬがスモール設定となる状態に設定された際の再生動作について説明する。
【００５１】
あらかじめ設定されている許容範囲内の所定の位置関係に設置された各スピーカ２３０を再生装置１００の音声信号出力端子６６０に接続するとともに、音声信号を出力する電子楽器や読取装置などの図示しない音声信号出力機器を音声信号入力端子６１０に接続する。この状態で再生装置１００や音声信号出力機器に電源が投入されると、システムマイコン３００が聴取者による入力操作部４００の各種入力状況を認識する。
【００５２】
そして、演算部６３６が再生条件や状態の設定を認識し、図３に示す構成の設定を認識すると、入力操作の内容に基づいてコントローラは図３に示す音声信号処理部７００のプログラム構成を構築する。この状態で音声信号出力機器から音声信号が出力されると、再生装置１００の音声信号入力端子６１０に入力される。この各音声信号入力端子６１０に入力された音声信号は、ＤＩＲ６２０にて適宜変換し、ＤＳＰ６３０へそれぞれストリーム音声信号として出力する。そして、ＤＳＰ６３０では、各音声信号入力端子６１０でそれぞれ取得した複数のストリーム音声信号を、音声信号入力端子６１０に対応する複数の入力端子６３１にてそれぞれ取得する。そして、各入力端子６３１で取得したストリーム音声信号を、ミキシング・エフェクト部で適宜処理し、音声信号処理部７００へ出力されて、設定入力した各チャンネルに対応し位相が整合する各ストリーム音声信号に処理される。
【００５３】
すなわち、音声信号出力機器から音声信号が出力されると、再生装置１００の音声信号入力端子６１０に入力され、この入力された音声信号は、ＤＩＲ６２０にて適宜変換し、ＤＳＰ６３０へそれぞれストリーム音声信号として出力される。そして、ＤＳＰ６３０では、各音声信号入力端子６１０でそれぞれ取得した複数のストリーム音声信号を、音声信号入力端子６１０に対応する複数の入力端子６３１にてそれぞれ取得する。そして、各入力端子６３１で取得したストリーム音声信号を、ミキシング・エフェクト部にてそれぞれ処理する。すなわち、入力端子６３１に入力されたストリーム音声信号は、出力調整部により、聴取者による入力操作部４００の入力操作の状況に応じたコントローラからの制御信号に基づいてあらかじめ設定された内容で、それぞれ出力レベル調整すなわちボリューム制御される。さらに、ボリューム制御されたストリーム音声信号は、エフェクト処理部により、あらかじめ入力操作部４００の入力操作の状況に応じた設定内容で、エフェクト処理すなわち所定の音質に適宜変更され、各チャンネルに対応して分岐され、音声信号処理部７００のチャンネルに対応したチャンネル入力端子７１０に加算されて入力される。
【００５４】
そして、スモール設定となる各チャンネル入力端子７１０Ｃ，７１０ＳＬ，７１０ＳＲ，７１０ＳＢＬ，７１０ＳＢＲにそれぞれ入力された各ストリーム音声信号は、コントローラにて制御された図示しない切替手段により分岐され、既にボリューム制御にて各チャンネルに対応した出力レベルから、低音効果音用に設定された出力レベルにそれぞれ調整するために、アッテネータ７５０で調整される。この後、アッテネータ７５０でそれぞれ出力レベル調整された各ストリーム音声信号は、チャンネル入力端子７１０ＬＦＥに入力されたストリーム音声信号と低域用加算手段７９０で加算され、低域用加算信号として出力される。この低域加算信号のストリーム音声信号は、低域通過フィルタ７６０を通過して高域成分が除去され、位相反転部８００で位相が反転されてチャンネル出力端子８１０ＬＦＥへ出力される。
【００５５】
また、スモール設定となる各チャンネル入力端子７１０Ｃ，７１０ＳＬ，７１０ＳＲ，７１０ＳＢＬ，７１０ＳＢＲに入力され分岐されないストリーム音声信号は、スモール高域通過フィルタ７４０を通過して低域成分が除去され、遅延処理手段７７０にて遅延処理される。この遅延処理により、チャンネル出力端子８１０ＬＦＥに出力される低音効果音のストリーム音声信号と、周波数および群遅延の関係が周波数に対してほぼ一定となる群遅延特性が平坦な状態に処理されて、対応するチャンネル出力端子８１０Ｃ，８１０ＳＬ，８１０ＳＲ，８１０ＳＢＬ，８１０ＳＢＲへそれぞれ出力される。
【００５６】
さらに、ラージ設定となる各チャンネル入力端子７１０ＦＬ，７１０ＦＲに入力されたストリーム音声信号は、コントローラにて制御された図示しない切替手段により分岐される。そして、分岐された一方のストリーム音声信号は、ラージ低域通過フィルタ７３０を通過して高域成分が除去され、位相反転部８００で位相が反転される。一方、分岐された他方のストリーム音声信号は、ラージ高域通過フィルタ７２０を通過して低域成分が除去され、遅延処理手段７７０にて遅延処理される。これらの状態で、反転処理された低域成分側のストリーム音声信号と、高域成分側の遅延処理されたストリーム音声信号とは、遅延処理手段７７０により、上述した低音効果音のストリーム音声信号とスモール設定のストリーム音声信号における群遅延特性が平坦となる状態と同様に位相の整合が得られており、ラージ加算手段７８０にて加算されて加算信号のストリーム音声信号として生成され、チャンネル出力端子８１０ＦＬ，８１０ＦＲへ出力される。
【００５７】
そして、各チャンネル出力端子８１０に出力された各ストリーム音声信号は、各チャンネル出力端子８１０がそれぞれ接続する音声信号出力端子６６０に出力され、音声信号出力端子６６０から各出力手段２００のＤＡＣ２１０に出力され、アナログ信号のストリーム音声信号に適宜変換される。さらに、アンプ２２０で増幅処理され、各スピーカ２３０で音声出力すなわち再生される。
【００５８】
〔実施の形態の作用効果〕
上述したように、上記実施の形態では、ラージ設定の対象の各チャンネル入力端子７１０ＦＬ，７１０ＦＲに入力されるストリーム音声信号を、異なるチャンネルであるスモール設定の対象の各チャンネル入力端子７１０Ｃ，７１０ＳＬ，７１０ＳＲ，７１０ＳＢＬ，７１０ＳＢＲに入力されるストリーム音声信号から高域成分を抽出するスモール高域通過フィルタ７４０と同様のラージ高域通過フィルタ７２０を通過させて高域成分をチャンネル毎にそれぞれ抽出するとともに、ラージ高域通過フィルタ７２０で除去される低域成分を抽出するラージ低域通過フィルタ７３０をチャンネル毎にそれぞれ通過させて、これら抽出した高域成分と低域成分とをラージ加算手段７８０でそれぞれ加算して、ラージ設定の加算信号のストリーム音声信号を生成させ、対応するチャンネル出力端子８１０ＦＬ，８１０ＦＲへ出力させている。このため、設定が異なる他のチャンネルのストリーム音声信号をスモール設定として高域成分を抽出する処理と同様にラージ設定のストリーム音声信号を処理することとなり、異なる設定のストリーム音声信号でも、位相の整合が得られ、良好な再生状態を提供できる。
【００５９】
そして、低域成分を除去するスモール設定すなわちストリーム音声信号をスモール高域通過フィルタ７４０に通過させる処理と、低域成分を除去する必要のないラージ設定との異なる設定で音声信号を出力させる混在設定において、ラージ設定の対象となるストリーム音声信号からスモール設定に対応した高域成分を抽出するとともに除去される低域成分をそれぞれ抽出して加算させているので、異なる設定となるスモール設定とラージ設定との双方のストリーム音声信号の適切な位相の整合が容易に得られる。
【００６０】
また、ラージ設定の低域成分および高域成分の抽出として、それぞれ切替手段にて分岐させ、それぞれ処理する構成としている。このため、スモール設定との位相の整合を採るためにラージ設定のストリーム音声信号から低域成分および高域成分を抽出する処理が容易に得られる。
【００６１】
さらに、スモール設定で除去される低域成分を低音効果音として再生させるために、スモール設定の対象の各チャンネル入力端子７１０Ｃ，７１０ＳＬ，７１０ＳＲ，７１０ＳＢＬ，７１０ＳＢＲに入力されるストリーム音声信号を分岐し、適宜出力レベルを調整した後に低域用加算手段７９０で加算し、低域通過フィルタ７６０を通過させて位相を逆転させる０．１ｃｈに対応する処理を実施する場合、この低音効果音用のストリーム音声信号と、スモール設定のストリーム音声信号との群遅延特性を平坦とするための遅延処理を、遅延処理手段７７０でスモール設定で高域成分として抽出したストリーム音声信号に実施している。そして、この遅延処理と同様の処理を、ラージ設定でスモール設定と同様に高域成分として抽出したストリーム音声信号に遅延処理手段７７０で実施している。このため、低音効果音のストリーム音声信号と、スモール設定のストリーム音声信号との群遅延特性の平坦化と同様に、ラージ設定のストリーム音声信号でも、他のストリーム音声信号との群遅延特性の平坦化が得られる。さらには、ラージ設定でスモール設定との位相の整合を得るために分岐して低域成分と高域成分とを抽出した後に加算する処理でも低域成分と高域成分との群遅延特性の平坦化が同時に得られる。これらのことから、良好な再生状態を提供できる。
【００６２】
また、ラージ設定におけるラージ高域通過フィルタ７２０における次数を、スモール設定におけるスモール高域通過フィルタ７４０の次数と、これらスモール設定のストリーム音声信号を再生するスピーカ２３０の次数との総和である４次として設定している。このため、ラージ設定のストリーム音声信号とスモール設定のストリーム音声信号との良好な位相の整合が得られ、より良好な再生状態を提供できる。
【００６３】
さらに、ラージ設定におけるラージ低域通過フィルタ７３０における次数を、低音効果用のストリーム音声信号の処理に用いる低域通過フィルタ７６０と同じ次数に設定している。このため、群遅延特性の平坦化がより良好に得られ、より良好な再生状態を提供できる。さらには、ラージ設定のストリーム音声信号の処理に用いる遅延処理手段７７０と、スモール設定のストリーム音声信号の処理に用いる遅延処理手段７７０とを同様の設定にでき、構成の簡略化も容易に得られる。
【００６４】
そして、音声信号処理部７００として例えばＣＰＵ（Central Processing Unit）などを用いてプログラムとして構成しているので、プログラムをインストールすることで、例えば所定のチャンネルのストリーム音声信号をラージ設定やスモール設定に適宜切替設定するなどが容易にでき、ラージ設定やスモール設定が混在する設定とした際に位相の整合が適切に得られ、良好な再生状態を提供できる構成が容易に得られ、利用の拡大が容易に図れる。さらには、そのプログラムを記録媒体に記録し、コンピュータなどに適宜読み取らせる構成とすることで、容易に音声信号処理部７００を構築でき、またプログラムを容易に取り扱いでき、利用の拡大が容易にできる。また、設定を適宜切替設定可能としている。このため、所望の再生状態が容易に提供でき、汎用性の向上も図れる。なお、本発明における演算手段としては、１つのコンピュータに限らず、複数のコンピュータをネットワーク状に組み合わせた構成、上述したようなＣＰＵやマイクロコンピュータなどの素子、あるいは複数の電子部品が搭載された回路基板などをも含む。
【００６５】
〔実施の形態の変形〕
なお、本発明は、上述した実施の一形態に限定されるものではなく、本発明の目的を達成できる範囲で以下に示される変形をも含むものである。
【００６６】
すなわち、７．１ｃｈでかつ左前スピーカ２３０ＦＬおよび右前スピーカ２３０ＦＲで出力させるチャンネルをラージ設定、センタースピーカ２３０Ｃ、右後スピーカ２３０ＳＲ、左後スピーカ２３０ＳＬ、サラウンド右後スピーカ２３０ＳＢＲ、サラウンド左後スピーカ２３０ＳＢＬで出力させるチャンネルをスモール設定として説明したが、上述したように、入力操作による設定入力にて、ラージ設定およびスモール設定を適宜設定する構成としてもよい。なお、ラージ設定およびスモール設定が混在する場合には、上述した実施の形態のように、ラージ設定の対象となる音声信号から低域成分および高域成分を抽出して加算させる構成とすればよい。また、７．１ｃｈに限らない。
【００６７】
そして、ラージ設定およびスモール設定について説明したが、例えば所定の周波数帯域をバンドパスフィルタなどを利用して抽出させて出力させるチャンネルと、ラージ設定のようにほぼ全域を出力させるチャンネルとが混在する場合でも、後者のチャンネルの音声信号を処理する構成として、上述したように、前者で抽出する帯域成分とそれ以外の除去される周波数帯を抽出させて加算し出力させる構成とするなどしてもよい。また、除去される帯域の周波数帯の抽出として複数に分岐して複数の周波数帯域を抽出させて加算することでほほ全域を出力させる構成としてもよい。
【００６８】
また、スモール設定となるストリーム音声信号から分岐させて低音効果音として加算し低音効果音用スピーカ２３０ＬＦＥから再生させる構成について説明したが、例えば図４に示すように、ラージ設定となるストリーム音声信号からも分岐させて低音効果音として加算し低音効果音用スピーカ２３０ＬＦＥから再生させる設定としてもよい。なお、図４は、上述した図２および図３に示す実施の形態と同様の構成については、同一の符号を付している。この図４に示す構成についても同様に、異なる設定が混在する場合でも位相の整合が採れ、良好な再生状態を提供できる。さらに、この図４に示す構成では、より大きな低音効果を提供できる。
【００６９】
さらに、例えば図５に示すような７ｃｈに設定してもよい。なお、図５は、上述した図２および図３に示す実施の形態と同様の構成については、同一の符号を付している。すなわち、低音効果音のストリーム音声信号として処理した加算信号を、低域成分を良好に再生できる左前スピーカ２３０ＦＬおよび右前スピーカ２３０ＦＲで、このチャンネルのストリーム音声信号と加算して出力させる構成としてもよい。すなわち、ラージ加算手段で、ラージ設定となるストリーム音声信号から抽出した高域成分および低域成分とともに、加算信号のストリーム音声信号を合わせて加算して出力させてもよい。このような図５に示す構成についても同様に、異なる設定が混在する場合でも位相の整合が採れ、良好な再生状態を提供できる。さらに、この図５に示す構成では、低音効果音用スピーカ２３０ＬＦＥが不要となり、構成の簡略化などが容易に得られる。
【００７０】
そしてさらに、例えば図６に示すような３ｃｈに設定してもよい。なお、図６は、上述した図２および図３に示す実施の形態と同様の構成については、同一の符号を付している。すなわち、スモール設定となるチャンネル入力端子７１０Ｃに入力されたストリーム音声信号を、図示しない切替手段で分岐し、一方のストリーム音声信号を、上述した実施の形態と同様に、スモール高域通過フィルタ７４０を通過させて遅延処理し、チャンネル出力端子８１０へ出力する。また、分岐された他方のストリーム音声信号は、低域通過フィルタ７６０に通過させて高域成分を除去し、位相反転部８００で位相を反転させるとともに、あらかじめ設定されたセンタースピーカ２３０Ｃの出力レベルから左前スピーカ２３０ＦＬおよび右前スピーカ２３０ＦＲの出力レベルに調整し、ラージ加算手段７８０へ低音効果音の低域成分のストリーム音声信号として出力させる。そして、この低音効果音として処理されたストリーム音声信号を、ラージ加算手段７８０で、別途ラージ設定の処理で遅延処理された高域成分のストリーム音声信号および位相反転された低域成分のストリーム音声信号とともに加算し、チャンネル出力端子８１０ＦＬ，８１０ＦＲへそれぞれ出力させる。この図６に示す構成についても同様に、異なる設定が混在する場合でも位相の整合が採れ、良好な再生状態を提供できる。さらに、この図６に示す構成では、３つのスピーカでも、良好な低音効果音を提供できる。
【００７１】
また、上述した各実施の形態において、次数については、適宜設定できる。また、所定の周波数のみを通過させるフィルタの特性に応じて、遅延処理を実施する構成とすることができる。例えば、ラージ設定の遅延処理とスモール設定の遅延処理とが異なる遅延状態で処理させる構成としてもよい。さらには、例えば低音効果音を出力させない構成などにおいては、遅延処理を実施しなくてもよい。また、例えばラージ高域通過フィルタ７２０の次数を、スモール高域通過フィルタ７４０の次数である２次と同一とするなどしてもよい。
【００７２】
さらに、入力操作による設定により、再生条件や再生状態を適宜設定できる構成としたが、上述した各実施の形態の構成のみに設計された構成としてもよい。
【００７３】
その他、本発明の実施の際の具体的な構造および手順は、本発明の目的を達成できる範囲で他の構造などに適宜変更できる。
【００７４】
〔実施の形態の効果〕
上述したように、所定のチャンネルであるラージ設定の対象のチャンネル入力端子７１０ＦＬ，７１０ＦＲに入力されるストリーム音声信号を、異なるチャンネルであるスモール設定の対象のチャンネル入力端子７１０Ｃ，７１０ＳＬ，７１０ＳＲ，７１０ＳＢＬ，７１０ＳＢＲに入力されるストリーム音声信号から高域成分を抽出するスモール高域通過フィルタ７４０と同様のラージ高域通過フィルタ７２０を通過させて高域成分を抽出するとともに、ラージ高域通過フィルタ７２０で除去される低域成分を抽出するラージ低域通過フィルタ７３０を通過させて、これら抽出した高域成分と低域成分とをラージ加算手段７８０で加算して、ラージ設定の加算信号のストリーム音声信号を生成させて出力させている。このため、設定が異なる他のチャンネルのストリーム音声信号をスモール設定として高域成分を抽出する処理と同様にラージ設定のストリーム音声信号を処理することとなり、異なる設定のストリーム音声信号でも、位相の整合が得られ、良好な再生状態を提供できる。
【産業上の利用可能性】
【００７５】
本発明は、音声信号を複数のスピーカから出力可能に処理する音声信号処理装置、音声信号処理方法、そのプログラム、および、そのプログラムを記録した記録媒体に利用できる。
【図１】
0004494470.tif 000002
【図２】
0004494470.tif 000003
【図３】
0004494470.tif 000004
【図４】
0004494470.tif 000005
【図５】
0004494470.tif 000006
【図６】
0004494470.tif 000007